(57)【要約】【課題】メールに関する情報漏洩を防止するためのシステムを提供すること。【解決手段】データサーバ２０は、通信端末１０に係るメール、アドレス帳データを記憶する。データサーバ２０は、通信端末１０の問い合わせに応じて、記憶された受信メール、作成途中のメール、アドレス帳データを通信端末１０に送信する。データサーバ２０は、メールサーバ３０に対して、通信端末１０に対応する受信メールを定期的に問い合わせて、受信メールを取り込む。データサーバ２０は、通信端末１０からの送信メールを受けたときに、メールサーバ３０に当該送信メールを送信する。通信端末１０は、データサーバ２０から提供されたデータに関する画面を閉じる際、データ破棄プログラムに基づいて、データサーバ２０から提供された全てのデータを破棄する。【選択図】図１
2007272680.tif 000002
【特許請求の範囲】
【請求項１】
通信端末およびメールサーバとネットワークを介して通信可能なデータサーバを有する電子メールシステムであって、
前記データサーバは、
前記通信端末に対応する送信メール、受信メール、作成途中のメール、及びアドレス帳データを記憶する記憶部と、
前記記憶部に記憶された情報を制御する制御部と、
を備え、
前記通信端末は、
前記データサーバから提供されたデータに関する画面を閉じる際に、当該データの全てを破棄するデータ破棄プログラムを記憶する記憶部と、
前記データサーバから提供されたデータに関する画面を閉じる際、前記データ破棄プログラムに基づいて、前記データサーバから提供された全てのデータを破棄するように処理する制御部と、
を備え、
前記データサーバの前記制御部は、
前記通信端末からの問い合わせに応じて、前記記憶部に記憶された前記受信メール、前記作成途中のメール、及び前記アドレス帳データのいずれかを前記通信端末に送信するように処理し、
前記メールサーバに対して、前記通信端末に対応する受信メールを定期的に問い合わせて、受信メールを取り込むように処理し、
前記通信端末からの送信メールを受けたときに、前記メールサーバに当該送信メールを送信し、前記記憶部に当該送信メールを記憶させるように処理することを特徴とする電子メールシステム。
【請求項２】
前記データサーバの前記制御部は、
前記通信端末から受信メール、送信メール、作成途中メールを受けたときに、これらのメールの表題、差出人、時刻等を列挙したメールリストを生成して、前記記憶部に記憶させるように処理し、
前記通信端末からの問い合わせに応じて、前記記憶部に記憶された前記メールリストを前記通信端末に送信し、前記通信端末にて前記メールリストから選択された受信メール、送信メール、作成途中メールのいずれかを前記記憶部から取り出して前記通信端末に送信するように処理することを特徴とする請求項１記載の電子メールシステム。
【請求項３】
前記データサーバの前記制御部は、前記通信端末からのアクセスの際、前記通信端末に対し認証情報の入力を要求し、前記通信端末から送信された認証情報と、予め登録された認証情報とを比較して、一致したときに前記通信端末に対応するメールに関する情報の閲覧を前記通信端末に許可するように処理することを特徴とする請求項１又は２記載の電子メールシステム。
【請求項４】
データサーバとネットワークを介して通信可能な通信部と、
前記データサーバから提供されたデータに関する画面を閉じる際に、当該データの全てを破棄するデータ破棄プログラムを記憶する記憶部と、
前記データサーバから提供されたデータに関する画面を閉じる際、前記データ破棄プログラムに基づいて、前記データサーバから提供された全てのデータを破棄するように処理する制御部と、
を備えることを特徴とする通信端末。
【請求項５】
通信端末およびメールサーバとネットワークを介して通信可能な通信部と、
前記通信端末に対応する送信メール、受信メール、作成途中のメール、及びアドレス帳データを記憶する記憶部と、
前記記憶部に記憶された情報を制御する制御部と、
を備え、
前記制御部は、
前記通信端末からの問い合わせに応じて、前記記憶部に記憶された前記受信メール、前記作成途中のメール、及び前記アドレス帳データのいずれかを前記通信端末に送信するように処理し、
前記メールサーバに対して、前記通信端末に対応する受信メールを定期的に問い合わせて、受信メールを取り込むように処理し、
前記通信端末からの送信メールを受けたときに、前記メールサーバに当該送信メールを送信し、前記記憶部に記憶させるように処理することを特徴とするデータサーバ。
【請求項６】
前記制御部は、
前記通信端末から受信メール、送信メール、作成途中メールを受けたときに、これらのメールの表題、差出人、時刻等を列挙したメールリストを生成して、前記記憶部に記憶させるように処理し、
前記通信端末からの問い合わせに応じて、前記記憶部に記憶された前記メールリストを前記通信端末に送信し、前記通信端末にて前記メールリストから選択された受信メール、送信メール、作成途中メールのいずれかを前記記憶部から取り出して前記通信端末に送信するように処理することを特徴とする請求項５記載のデータサーバ。
【請求項７】
前記制御部は、前記通信端末からのアクセスの際、前記通信端末に対し認証情報の入力を要求し、前記通信端末から送信された認証情報と、予め登録された認証情報とを比較して、一致したときに前記通信端末に対応するメールに関する情報の閲覧を前記通信端末に許可するように処理することを特徴とする請求項５又は６記載のデータサーバ。
【請求項８】
データサーバとネットワークを介して通信可能な通信端末を用いて実行させるプログラムであって、前記データサーバから提供されたデータに関する画面を閉じる際、前記データサーバから提供された全てのデータを破棄する処理を実行させることを特徴とするデータ破棄プログラム。
【請求項９】
通信端末およびメールサーバとネットワークを介して通信可能なデータサーバを用いて実行させるプログラムであって、
前記通信端末からの問い合わせに応じて、前記記憶部に記憶された受信メール、作成途中のメール、及びアドレス帳データのいずれかを前記通信端末に送信する処理と、
前記メールサーバに対して、前記通信端末に対応する受信メールを定期的に問い合わせて、受信メールを取り込む処理と、
前記通信端末からの送信メールを受けたときに、前記メールサーバに当該送信メールを送信し、前記記憶部に記憶させる処理と、
を実行させることを特徴とするプログラム。
【請求項１０】
前記通信端末から受信メール、送信メール、作成途中メールを受けたときに、これらのメールの表題、差出人、時刻等を列挙したメールリストを生成して、前記記憶部に記憶させる処理と、
前記通信端末からの問い合わせに応じて、前記記憶部に記憶された前記メールリストを前記通信端末に送信し、前記通信端末にて前記メールリストから選択された受信メール、送信メール、作成途中メールのいずれかを前記記憶部から取り出して前記通信端末に送信する処理と、
を実行させることを特徴とする請求項９記載のプログラム。
【請求項１１】
前記通信端末からのアクセスの際、前記通信端末に対し認証情報の入力を要求し、前記通信端末から送信された認証情報と、予め登録された認証情報とを比較して、一致したときに前記通信端末に対応するメールに関する情報の閲覧を前記通信端末に許可する処理を実行させることを特徴とする請求項９又は１０記載のプログラム。
【発明の詳細な説明】
【技術分野】
【０００１】
本発明は、電子メールシステム、データサーバ、及びプログラムに関し、特に、通信端末にてメールデータを保持しない電子メールシステム、データサーバ、及びプログラムに関する。
【背景技術】
【０００２】
従来の電子メールシステムでは、メールサーバから取得したメールデータ、メールサーバに送信したメールデータ、及びアドレス帳データが携帯端末にて保存される。また、従来の電子メールシステムにおいて、通信端末にて、メールの着信を自動的に確認でき、メールの文字数制限が無く、かつ過去のメールでも簡単に確認できる電子メールシステムが提案されている（特許文献１参照）。特許文献１の電子メールシステムは、電子メールサーバから所定のメールを定期的に読み出してメールデータベースに記録し、記録されたメールをブラウザ機能で閲覧できるようになったことを通信端末に知らせるために、メールデータの要約情報を含むメール着信通知を通信端末に送信している。そして、メールを閲覧するときは、通信端末にて、メール着信通知に含まれるＵＲＬに基づいて電子メールシステムにアクセスしてブラウザ機能でメールを閲覧する。
【０００３】
【特許文献１】特開２００１−３３１４２７号公報
【発明の開示】
【発明が解決しようとする課題】
【０００４】
しかしながら、従来の電子メールシステムでは、通信端末にメールデータ、アドレス帳データ、メール着信通知等が保存されていることから、以下のようなセキュリティ上の問題がある。
【０００５】
例えば、業務の中で携帯型の通信端末（携帯端末）を用いてメール送受信を行う機会が増えているところ、顧客のアドレス情報を携帯端末に登録するなど、業務上の情報を携帯端末に入れて持ち歩くケースがある。携帯端末は、大きさが小さいことから屋外で紛失することがあり、携帯端末の紛失による顧客のアドレス情報などの情報漏洩が起きることがある。また、デスクトップ型の通信端末（ＰＣ端末）についても、不正行為によって、顧客のアドレス情報などの情報が持ち出され、情報漏洩が起きることがある。
【０００６】
本発明の主な課題は、メールに関する情報漏洩を防止するためのシステムを提供することである。
【課題を解決するための手段】
【０００７】
本発明の第１の視点においては、通信端末およびメールサーバとネットワークを介して通信可能なデータサーバを有する電子メールシステムであって、前記データサーバは、前記通信端末に対応する送信メール、受信メール、作成途中のメール、及びアドレス帳データを記憶する記憶部と、前記記憶部に記憶された情報を制御する制御部と、を備え、前記通信端末は、前記データサーバから提供されたデータに関する画面を閉じる際に、当該データの全てを破棄するデータ破棄プログラムを記憶する記憶部と、前記データサーバから提供されたデータに関する画面を閉じる際、前記データ破棄プログラムに基づいて、前記データサーバから提供された全てのデータを破棄するように処理する制御部と、を備え、前記データサーバの前記制御部は、前記通信端末からの問い合わせに応じて、前記記憶部に記憶された前記受信メール、前記作成途中のメール、及び前記アドレス帳データのいずれかを前記通信端末に送信するように処理し、前記メールサーバに対して、前記通信端末に対応する受信メールを定期的に問い合わせて、受信メールを取り込むように処理し、前記通信端末からの送信メールを受けたときに、前記メールサーバに当該送信メールを送信し、前記記憶部に当該送信メールを記憶させるように処理することを特徴とする。
【０００８】
本発明の前記電子メールシステムにおいて、前記データサーバの前記制御部は、前記通信端末から受信メール、送信メール、作成途中メールを受けたときに、これらのメールの表題、差出人、時刻等を列挙したメールリストを生成して、前記記憶部に記憶させるように処理し、前記通信端末からの問い合わせに応じて、前記記憶部に記憶された前記メールリストを前記通信端末に送信し、前記通信端末にて前記メールリストから選択された受信メール、送信メール、作成途中メールのいずれかを前記記憶部から取り出して前記通信端末に送信するように処理することが好ましい。
【０００９】
本発明の前記電子メールシステムにおいて、前記データサーバの前記制御部は、前記通信端末からのアクセスの際、前記通信端末に対し認証情報の入力を要求し、前記通信端末から送信された認証情報と、予め登録された認証情報とを比較して、一致したときに前記通信端末に対応するメールに関する情報の閲覧を前記通信端末に許可するように処理することが好ましい。
【００１０】
本発明の第２の視点においては、通信端末において、データサーバとネットワークを介して通信可能な通信部と、前記データサーバから提供されたデータに関する画面を閉じる際に、当該データの全てを破棄するデータ破棄プログラムを記憶する記憶部と、前記データサーバから提供されたデータに関する画面を閉じる際、前記データ破棄プログラムに基づいて、前記データサーバから提供された全てのデータを破棄するように処理する制御部と、を備えることを特徴とする。
【００１１】
本発明の第３の視点においては、通信端末およびメールサーバとネットワークを介して通信可能なデータサーバであって、通信端末およびメールサーバとネットワークを介して通信可能な通信部と、前記通信端末に対応する送信メール、受信メール、作成途中のメール、及びアドレス帳データを記憶する記憶部と、前記記憶部に記憶された情報を制御する制御部と、を備え、前記制御部は、前記通信端末からの問い合わせに応じて、前記記憶部に記憶された前記受信メール、前記作成途中のメール、及び前記アドレス帳データのいずれかを前記通信端末に送信するように処理し、前記メールサーバに対して、前記通信端末に対応する受信メールを定期的に問い合わせて、受信メールを取り込むように処理し、前記通信端末からの送信メールを受けたときに、前記メールサーバに当該送信メールを送信し、前記記憶部に記憶させるように処理することを特徴とする。
【００１２】
本発明の第４の視点においては、データサーバとネットワークを介して通信可能な通信端末を用いて実行させるデータ破棄プログラムであって、前記データサーバから提供されたデータに関する画面を閉じる際、前記データサーバから提供された全てのデータを破棄する処理を実行させることを特徴とする。
【００１３】
本発明の第５の視点においては、通信端末およびメールサーバとネットワークを介して通信可能なデータサーバを用いて実行させるプログラムであって、前記通信端末からの問い合わせに応じて、前記記憶部に記憶された受信メール、作成途中のメール、及びアドレス帳データのいずれかを前記通信端末に送信する処理と、前記メールサーバに対して、前記通信端末に対応する受信メールを定期的に問い合わせて、受信メールを取り込む処理と、前記通信端末からの送信メールを受けたときに、前記メールサーバに当該送信メールを送信し、前記記憶部に記憶させる処理と、を実行させることを特徴とする。
【発明の効果】
【００１４】
本発明によれば、通信端末ではデータサーバと通信している間以外は、通信端末上でメールデータやアドレス帳データ等のメールに関する全ての情報を保持しないため、不正行為によって、通信端末のメールに関する情報が漏洩することを防ぐことができる。
【発明を実施するための最良の形態】
【００１５】
（実施形態１）
本発明の実施形態１に係る電子メールシステムについて図面を用いて説明する。図１は、本発明の実施形態１に係る電子メールシステムの構成を模式的に示したブロック図である。
【００１６】
電子メールシステム１は、電子メールに関する情報漏洩を防止するためのシステムである。電子メールシステム１は、通信端末１０と、データサーバ２０と、メールサーバ３０と、ネットワーク４０と、を有する。
【００１７】
通信端末１０は、通信機能を有するコンピュータ端末であり、例えば、携帯電話機、パーソナルコンピュータ等である。通信端末１０は、有線又は無線を通じてネットワーク４０に接続されている。通信端末１０は、制御部１１と、記憶部１２と、通信部１３と、操作部１４と、表示部１５と、を有する。制御部１１は、所定のプログラムに基づいて各機能部１２〜１５を制御する。記憶部１２は、プログラムやデータを記憶する。なお、記憶部１２は、データサーバ２０から提供されたブラウザ画面を開いているときにメールに関する情報（データ）を記憶することはあるが、当該ブラウザ画面を閉じる際にメールに関する情報の全てが破棄（消去）される。また、記憶部１２は、データ破棄プログラムを記憶する。通信部１３は、メール送受信、インターネット接続などの通信を行う。操作部１４では、情報の入力操作が行われる。表示部１５は、所定の情報を表示する。ここで、データ破棄プログラムは、通信端末１０にてデータサーバ２０から提供されたデータに関するブラウザ画面を閉じる際に、当該データ（データサーバ２０から提供されたデータ）の全てを破棄するプログラムである。
【００１８】
制御部１１は、データサーバ２０にアクセスする際、データサーバ２０の認証情報の入力の要求に応じてユーザが入力した認証情報（ＩＤ、パスワード等）をデータサーバ２０に送信するように処理する。制御部１１は、データサーバ２０から提供されたブラウザ画面を表示するように処理する。制御部１１は、データサーバ２０にアクセスしたときに、ユーザの操作に応じて受信メールデータやアドレス帳データを取得するように処理する。制御部１１は、データサーバ２０にアクセスしたときに、ユーザの操作に応じてデータサーバ２０に対して受信メール、送信メール、作成途中メールのメールリストを取得するように処理する。制御部１１は、ユーザがメール作成途中でブラウザ画面を閉じる際、ユーザに作成途中メールを保存するか否かを確認し、保存するときに作成途中メールをデータサーバ２０に送信するように処理する。制御部１１は、メール送信するときに、データサーバ２０を経由してメールサーバ３０に送信メールデータを送信するように処理する。制御部１１は、ブラウザ画面を閉じる際、データ破棄プログラムに基づいて記憶部１２内のデータサーバ２０から提供された電子メールに関する全てのデータを破棄（消去）するように処理する。
【００１９】
データサーバ２０は、電子メールに関するデータを処理するコンピュータサーバである。データサーバ２０は、ネットワーク４０に接続されている。データサーバ２０は、制御部２１と、記憶部２２と、通信部２３と、を有する。制御部２１は、所定のプログラムに基づいて各機能部２２、２３を制御する。記憶部２２は、プログラムやデータを記憶する。記憶部２２は、送信メール、受信メール、作成途中メール、メールリスト、アドレス帳データ等のデータを記憶する。通信部２３は、メール送受信、インターネット接続などの通信を行う。
【００２０】
制御部２１は、通信端末１０からのアクセスの際、通信端末１０に対し認証情報の入力を要求し、通信端末１０から送信された認証情報と、予め登録された認証情報とを比較して、一致したときに通信端末１０に対応するメールに関する情報の閲覧を通信端末１０に許可するように処理する。制御部２１は、通信端末１０からのアドレスの問い合わせに応じて、記憶部２２に記憶されたアドレス帳データを送信するように処理する。制御部２１は、メールサーバ３０に通信端末１０に対応する受信メールを定期的に問い合わせて、受信メールを取り込むように処理する。制御部２１は、通信端末１０からの受信メールの問い合わせに応じて、記憶部２２の受信メールを送信するように処理する。制御部２１は、通信端末１０からの作成途中メールの問い合わせに応じて、記憶部２２の作成途中メールを送信するように処理する。制御部２１は、通信端末１０からの送信メールを受けたときに、メールサーバ３０に当該送信メールを送信し、記憶部２２に記憶させるように処理する。制御部２１は、受信メール、送信メール、作成途中メールを受けたときに、これらのメールの表題、差出人、時刻等を列挙したメールリストを生成し、記憶部２２に記憶させるように処理する。
【００２１】
メールサーバ３０は、各企業やインターネットプロバイダ等に設置されているメールサーバである。ネットワーク４０は、インターネット網、電話回線網、移動体回線網等の情報通信ネットワークである。
【００２２】
次に、本発明の実施形態１に係る電子メールシステムの動作について図面を用いて説明する。図２は、本発明の実施形態１に係る電子メールシステムのメール受信の際の動作を模式的に示したフローチャートである。図３は、本発明の実施形態１に係る電子メールシステムのメール送信の際の動作を模式的に示したフローチャートである。図４は、本発明の実施形態１に係る電子メールシステムの作成途中メールを保存する際の動作を模式的に示したフローチャートである。図５は、本発明の実施形態１に係る電子メールシステムの作成途中メールを再度作成して送信する際の動作を模式的に示したフローチャートである。
【００２３】
メール受信の際の操作について説明する。なお、前提として、データサーバ２０に通信端末１０に係る識別情報（ＩＤ、パスワード等）が登録されているものとする。
【００２４】
図２を参照すると、まず、データサーバ２０は、通信端末１０に対応する受信メールを定期的に取り込むために、メールサーバ３０にアクセスする（ステップＡ１）。次に、メールサーバ３０は、通信端末１０に対応する受信メールが存在するか否かを確認し、存在する場合には通信端末１０に対応する受信メールをデータサーバ２０に送信する（ステップＡ２）。なお、存在しない場合、メールサーバ３０は、受信メールがない旨の通知をデータサーバ２０に送信することになる。次に、データサーバ２０は、メールサーバ３０からの受信メールを受信することにより、当該受信データを記憶し、受信メールリストを生成し、当該受信メールリストを記憶して（ステップＡ３）、通信端末１０のアクセスを待機する。なお、データサーバ２０は、メールサーバ３０から受信メールがない旨の通知を受信したときは、終了する。
【００２５】
ユーザが受信メールを確認しようとするときに、通信端末１０は、ユーザの操作によりデータサーバ２０にアクセスする（ステップＡ４）。次に、データサーバ２０は、通信端末１０のアクセスを受けることにより、認証情報の入力を要求する認証要求情報と、データ破棄プログラムとを通信端末１０に送信する（ステップＡ５）。次に、通信端末１０は、データサーバ２０からの認証要求情報を受信することにより、認証情報入力画面を表示して認証情報の入力を促し、ユーザが入力した認証情報をデータサーバ２０に送信する（ステップＡ６）。次に、データサーバ２０は、通信端末１０からの認証情報を受信することにより、通信端末１０からの認証情報と、予め登録された認証情報とを比較して一致するか否かの認証処理を行う（ステップＡ７）。一致した場合、データサーバ２０は、通信端末１０に対応するメールに関する情報の閲覧を許可する。一致しない場合、データサーバ２０は、再度、通信端末１０に対し認証情報の入力を要求することになる。
【００２６】
閲覧が許可されると、データサーバ２０は、通信端末１０に対応する受信メールリストを通信端末１０に送信する（ステップＡ８）。通信端末１０は、データサーバ２０からの受信メールリストを受信することにより、受信メールリストを表示して読みたい受信メールの選択を促し、ユーザが選択した受信メール選択情報をデータサーバ２０に送信する（ステップＡ９）。次に、データサーバ２０は、通信端末１０からの受信メール選択情報を受信することにより、選択された受信メールデータを送信する（ステップＡ１０）。次に、通信端末１０は、データサーバ２０からの受信メールデータを受信することにより、当該受信メールデータを表示する（ステップＡ１１）。その後、ユーザがメールデータを読み終えてブラウザ画面を閉じる操作を行うことにより、通信端末１０は、データ破棄プログラムに基づいて、データサーバ２０から提供された電子メールに関する全てのデータを破棄（消去）し（ステップＡ１２）、終了する。
【００２７】
メール送信の際の操作について説明する。なお、前提として、データサーバ２０に通信端末１０に係る識別情報（ＩＤ、パスワード等）が登録されているものとする。
【００２８】
図３を参照すると、まず、ユーザが送信メールを作成しようとするときに、通信端末１０は、ユーザの操作によりデータサーバ２０にアクセスする（ステップＢ１）。次に、データサーバ２０は、通信端末１０のアクセスを受けることにより、認証情報の入力を要求する認証要求情報を通信端末１０に送信する（ステップＢ２）。次に、通信端末１０は、データサーバ２０からの認証要求情報を受信することにより、認証情報入力画面を表示して認証情報の入力を促し、ユーザが入力した認証情報をデータサーバ２０に送信する（ステップＢ３）。次に、データサーバ２０は、通信端末１０からの認証情報を受信することにより、通信端末１０からの認証情報と、予め登録された認証情報とを比較して一致するか否かの認証処理を行う（ステップＢ４）。一致した場合、データサーバ２０は、通信端末１０に対応するメールに関する情報の閲覧を許可する。一致しない場合、データサーバ２０は、再度、通信端末１０に対し認証情報の入力を要求することになる。
【００２９】
閲覧が許可されると、データサーバ２０は、通信端末１０に対応するアドレス帳データを通信端末１０に送信する（ステップＢ５）。次に、通信端末１０は、データサーバ２０からのアドレス帳データを受信することにより、アドレス帳データを表示する（ステップＢ６）。次に、通信端末１０にて、ユーザがアドレス帳データから送信先アドレスを選択し、送信メールの本文を作成する（ステップＢ７）。送信メールの作成が終了すると、通信端末１０は、ユーザの操作に応じて送信メールをデータサーバ２０に送信する（ステップＢ８）。その後、ユーザがブラウザ画面を閉じる操作を行うことにより、通信端末１０は、データ破棄プログラムに基づいて、データサーバ２０から提供された電子メールに関する全てのデータを破棄（消去）する（ステップＢ９）。次に、データサーバ２０は、通信端末１０からの送信メールを受信することにより、送信メールをメールサーバ３０に送信する（ステップＢ１０）。その後、メールサーバ３０は、送信メールに含まれる送信先アドレスに送信メールを送信することになる（ステップＢ１１）。
【００３０】
なお、ステップＢ７の際、送信メールの作成途中で作成作業を中断する場合、図４を参照すると、通信端末１０は、ユーザの操作に応じてデータサーバ２０に作成途中メールを送信する（ステップＣ１）。その後、ユーザがブラウザ画面を閉じる操作を行うことにより、通信端末１０は、データ破棄プログラムに基づいて、データサーバ２０から提供された電子メールに関する全てのデータを破棄（消去）する（ステップＣ２）。次に、データサーバ２０は、通信端末１０からの作成途中メールを受信することにより、作成途中メールリストを生成する（ステップＣ３）。次に、データサーバ２０は、生成した作成途中メールリスト、及び作成途中メールを保存する（ステップＣ４）。
【００３１】
また、作成途中メールの作成を再開する場合、図５を参照すると、まず、通信端末１０は、ユーザの操作によりデータサーバ２０にアクセスする（ステップＤ１）。次に、データサーバ２０は、通信端末１０のアクセスを受けることにより、認証情報の入力を要求する認証要求情報を通信端末１０に送信する（ステップＤ２）。次に、通信端末１０は、データサーバ２０からの認証要求情報を受信することにより、認証情報入力画面を表示して認証情報の入力を促し、ユーザが入力した認証情報をデータサーバ２０に送信する（ステップＤ３）。次に、データサーバ２０は、通信端末１０からの認証情報を受信することにより、通信端末１０からの認証情報と、予め登録された認証情報とを比較して一致するか否かの認証処理を行う（ステップＤ４）。一致した場合、データサーバ２０は、通信端末１０に対応するメールに関する情報の閲覧を許可する。一致しない場合、データサーバ２０は、再度、通信端末１０に対し認証情報の入力を要求することになる。
【００３２】
閲覧が許可されると、データサーバ２０は、通信端末１０に対応する作成途中メールリストを通信端末１０に送信する（ステップＤ５）。次に、通信端末１０は、データサーバ２０からの作成途中メールリストを受信することにより、作成途中メールリストを表示して作成途中メールの選択を促し、ユーザが選択した作成途中メール選択情報をデータサーバ２０に送信する（ステップＤ６）。次に、データサーバ２０は、通信端末１０からの作成途中メール選択情報を受信することにより、選択された作成途中メールデータを送信する（ステップＤ７）。次に、通信端末１０は、データサーバ２０からの作成途中メールデータを受信することにより、当該作成途中メールデータを表示し、送信メールの本文を作成する（ステップＤ８）。送信メールの作成が終了すると、通信端末１０は、ユーザの操作に応じて送信メールをデータサーバ２０に送信する（ステップＤ９）。その後、ユーザがブラウザ画面を閉じる操作を行うことにより、通信端末１０は、データ破棄プログラムに基づいて、データサーバ２０から提供された電子メールに関する全てのデータを破棄（消去）する（ステップＤ１０）。次に、データサーバ２０は、通信端末１０からの送信メールを受信することにより、送信メールをメールサーバ３０に送信する（ステップＤ１１）。その後、メールサーバ３０は、送信メールに含まれる送信先アドレスに送信メールを送信することになる（ステップＤ１２）。
【００３３】
実施形態１によれば、通信端末１０ではデータサーバ２０と通信している間以外は、通信端末上でメールデータやアドレス帳データ等のメールに関する全ての情報を保持しないため、不正行為によって、通信端末のメールに関する情報が漏洩することを防ぐことができる。
【図面の簡単な説明】
【００３４】
【図１】本発明の実施形態１に係る電子メールシステムの構成を模式的に示したブロック図である。
【図２】本発明の実施形態１に係る電子メールシステムのメール受信の際の動作を模式的に示したフローチャートである。
【図３】本発明の実施形態１に係る電子メールシステムのメール送信の際の動作を模式的に示したフローチャートである。
【図４】本発明の実施形態１に係る電子メールシステムの作成途中メールを保存する際の動作を模式的に示したフローチャートである。
【図５】本発明の実施形態１に係る電子メールシステムの作成途中メールを再度作成して送信する際の動作を模式的に示したフローチャートである。
【符号の説明】
【００３５】
１  電子メールシステム
１０  通信端末
１１  制御部
１２  記憶部
１３  通信部
１４  操作部
１５  表示部
２０  データサーバ
２１  制御部
２２  記憶部
２３  通信部
３０  メールサーバ
４０  ネットワーク
【図１】
2007272680.tif 000003
【図２】
2007272680.tif 000004
【図３】
2007272680.tif 000005
【図４】
2007272680.tif 000006
【図５】
2007272680.tif 000007